(57)【要約】【課題】窓枠のサイズに応じて空気の吹き出し幅を変更可能な送風器を実現する。【解決手段】外部に向けて空気を吹き出す吹出口と、前記吹出口に送風するファンと、他の送風器をスライド可能に連結する連結機構と、を備え、前記連結機構は、ガイドレールと、前記他の送風器に設けられるガイドレールに沿ってスライド可能なスライダと、を含み、前記ファンは、横断流ファンから構成され、前記連結機構は、前記他の送風器を前記横断流ファンの軸方向に相対移動可能に連結する。【選択図】図３
2020051077.tif 000002
【特許請求の範囲】
【請求項１】
外部に向けて空気を吹き出す吹出口と、
前記吹出口に送風するファンと、
他の送風器をスライド可能に連結する連結機構と、を備え、
前記連結機構は、ガイドレールと、前記他の送風器に設けられるガイドレールに沿ってスライド可能なスライダと、を含む送風器。
【請求項２】
前記ファンは、横断流ファンから構成され、
前記連結機構は、前記他の送風器を前記横断流ファンの軸方向に相対移動可能に連結する請求項１に記載の送風器。
【請求項３】
前記横断流ファンを収容する筐体を備え、
前記筐体は、略箱状に形成され、
前記横断流ファンの軸周りに位置する前記筐体の外表面のうち、互いに対向する第一の面及び第二の面に、前記連結機構は配置される請求項２に記載の送風器。
【請求項４】
前記筐体の底面に、外部から前記筐体内に空気を取り入れる吸込口が設けられる請求項３に記載の送風器。
【請求項５】
前記他の送風器との重なり度合を検出する重なり度合検出手段と、
前記吹出口から送り出す空気の方向を調節する風向調節手段と、
前記重なり度合検出手段の検出値に基づいて前記風向調節手段を制御する制御部と、を備える請求項１から４の何れか一項に記載の送風器。
【請求項６】
前記他の送風器との重なり度合を検出する重なり度合検出手段と、
前記重なり度合検出手段の検出値に基づいて前記ファンの回転数を制御する制御部と、を備える請求項１から４の何れか一項に記載の送風器。
【発明の詳細な説明】
【技術分野】
【０００１】
本発明は送風器に関する。
【背景技術】
【０００２】
特許文献１には、例えば、カーテンと窓ガラス間の下端側に送風器を配置し、この送風器によりカーテンと窓ガラスとのスペース間に送風を行って対流を発生させ、窓枠などへの結露発生の防止を図ることができる送風器が開示されている。
【先行技術文献】
【特許文献】
【０００３】
【特許文献１】特開２０００−２２６９７０号公報
【発明の概要】
【発明が解決しようとする課題】
【０００４】
しかし、送風器の空気の吹き出し幅が窓枠のサイズに合わない等の理由により、窓及び窓枠全体に送風することができず、結露が生じた場合に、窓枠等に付着した水滴を除去することができない場合があった。
【０００５】
上記の問題点に鑑み、本発明は、一例として、窓枠のサイズに応じて空気の吹き出し幅を変更可能な送風器を実現することを目的とする。
【課題を解決するための手段】
【０００６】
本発明の送風器は、外部に向けて空気を吹き出す吹出口と、前記吹出口に送風するファンと、他の送風器をスライド可能に連結する連結機構と、を備え、前記連結機構は、ガイドレールと、前記他の送風器に設けられるガイドレールに沿ってスライド可能なスライダと、を含む。
【図面の簡単な説明】
【０００７】
【図１】本発明の実施形態１に係る送風装置の配置を示す概略図である。
【図２】図１に示した送風装置を構成する送風器の内部構成を示す斜視図である。
【図３】図１に示した送風装置を構成する送風器の内部構成を示す断面模式図である。
【図４】図１に示した送風装置のハードウェア構成を示すブロック図である。
【図５】図１に示した送風装置の制御部による動作制御の流れを示すブロック図である。
【図６】図１に示した送風装置による動作制御における処理手順を示すフローチャートである。
【図７】図１に示した送風装置による動作制御を示す表である。
【図８】本発明の実施形態２に係る送風装置を構成する送風器の内部構成を示す断面模式図である。
【図９】本発明の実施形態３に係る送風装置を構成する送風器の内部構成を示す断面模式図である。
【図１０】本発明の実施形態４に係る送風装置を構成する送風器の内部構成を示す断面模式図である。
【発明を実施するための形態】
【０００８】
以下、図面を参照しつつ、本発明の各実施の形態について説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【０００９】
（第１の実施形態）
図１は、本実施の形態に係る送風装置１００の配置を示す概略図である。図２は、図１に示した送風装置１００を構成する送風器１の内部構成を示す斜視図である。図３は、図１に示した送風装置１００を構成する送風器１の内部構成を示す断面模式図である。送風装置１００は、結露が発生しやすい窓ガラスや窓枠等において、結露を防止するために使用されるものであり、一例として出窓１１に配置されている。送風装置１００は、出窓を覆うカーテン１２と、窓ガラス１３との間のスペース（床面）に置かれて使用される。
【００１０】
送風装置１００は、複数の送風器１、一例として二つの送風器１が連結されて構成される。以下において、説明の便宜上、送風器１は、窓側（前方）に配置される送風器を送風器１ａとし、室内側（後方）に配置される送風器を送風器１ｂとも記載する。
【００１１】
送風器１は、窓ガラス１３を支持する窓枠１４に沿って配置される。窓ガラス１３は、略矩形状に形成される窓枠１４に摺動可能に支持されている。送風器１は、窓枠１４を構成する下枠１４ａに沿って配置される。より具体的には、送風器１は、下枠１４ａの長手方向と後述の吹出口２ｈの長手方向が一致するように配置される。送風器１の配置について、下枠１４ａに沿って配置する場合に限らず、窓枠１４の所定の辺部から、対向する所定の辺部にかけて送風可能な位置であればよく、上枠１４ｂ、左枠１４ｃ、右枠１４ｄに沿って配置してもよい。
【００１２】
送風器１は、送風ファンと、送風ファンが収容される筐体２と、を備える。筐体２は、横に長い略箱状に形成される。筐体２は、前面２ａと、前面２ａと反対側の背面２ｂと、前面２ａ及び背面２ｂをつなぐ右側面２ｃと、前面２ａ及び背面２ｂをつなぐ右側面２ｃとは反対側の左側面２ｄと、上面２ｅと、底面２ｆと、を有している。筐体２は、前面２ａ側が窓ガラス１３や窓枠１４と向かい合うように、背面２ｂ側がカーテン１２と向かい合うように配置され、窓枠１４の近傍に配置されている。
【００１３】
送風ファンは、一例として、クロスフローファン３（横断流ファン）によって構成される。筐体２の内部には、長い円筒状のクロスフローファン３が配設されている。クロスフローファン３は、軸方向が筐体２の長手方向と一致するように筐体２内に収容されている。クロスフローファン３は、径方向より内側に取り込んだ空気を略９０度回転させた径方向に吹き出すものである。クロスフローファン３は、後述の吹出口２ｈに送風する。クロスフローファン３を用いることで、その軸方向に沿った広い幅で空気を吹き出すことができる。
【００１４】
筐体２の背面２ｂ上部には、吸込口２ｇが形成される。吸込口２ｇは、外部から筐体２内に空気を取り入れる開口である。吸込口２ｇは、クロスフローファン３の軸方向に沿って形成される。吸込口２ｇは、上下に並べて複数形成される。筐体２の上面２ｅには、吹出口２ｈが形成される。吹出口２ｈは、送風器１から外部に向けて空気を吹き出す開口である。吹出口２ｈは、クロスフローファン３の空気の吹き出し幅に応じて、その軸方向に沿って形成される。筐体２の内部には、吸込口２ｇから吹出口２ｈへ空気を送る送風路２ｊが形成される。送風路２ｊの中途部には、クロスフローファン３が配置される。
【００１５】
クロスフローファン３を収容する筐体２は、窓枠１４を構成する下枠１４ａに沿って設けてもよい。具体的には、送風器１の吹出口２ｈから下枠１４ａまでの距離が略一定となるように筐体２の長手方向と下枠１４ａの長手方向とが一致するように設けられる。
【００１６】
クロスフローファン３よりも送風方向下流側の送風路２ｊには、イオン発生部４を設けてもよい。イオン発生部４は高圧電圧の印加によりイオンを発生する電極（不図示）を有し、電極は送風路２ｊ内に面している。電極には交流波形またはインパルス波形から成る電圧が印加される。電極の印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。イオン発生部４は、クロスフローファン３よりも送風方向下流側の送風路２ｊに設けられているが、これに限定されない。例えば、クロスフローファン３より送風方向上流側の送風路２ｊに設けてもよい。
【００１７】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。したがって、プラスイオン及びマイナスイオンを発生して吹出口２ｈから送出することにより居室内の除菌及び臭い除去を行うことができる。
【００１８】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００１９】
筐体２の送風路２ｊにおいて、クロスフローファン３よりも送風方向下流側には、吹出口２ｈから送り出す空気の方向を調節する風向調節手段として風向板５が設けられる。風向板５は、吹出口２ｈ近傍に設けられる。風向板５は、吹出口２ｈを開閉するとともに、吹出口２ｈが開いているときにクロスフローファン３から筐体２外に送り出される空気の方向付けを行うものである。風向板５は、例えば、一枚の板状に形成された部材から構成される。風向板５は、側面からみて、中途部に軸６を有する。風向板５は、軸６周りに回動可能に構成される。風向板５は、一枚の板状に形成された部材から構成されるが、これに限定されない。例えば、風向板５は、クロスフローファン３の軸方向（左右方向）に複数に分割して、独立して軸周りに回動可能に構成してもよい。
【００２０】
送風器１は、吹出口２ｈから窓側に送風可能に構成される。より具体的には、例えば、送風器１は、少なくとも窓枠１４を構成する下枠１４ａ及び上枠１４ｂで囲まれる範囲を送風可能に構成される。風向板５は、吹出口２ｈを閉じた位置から、一端側を上方へ少し回動させると、主として筐体２の前方（下枠１４ａ）への送風を可能とする。風向板５の一端側を上方へさらに回動させると、斜め上方（窓ガラス１３から上枠１４ｂ）への送風を可能とする。
【００２１】
送風器１は、他の送風器１と連結するための連結機構７を備える。連結機構７は、例えば、ガイドレール７ａと、他の送風器１に設けられるガイドレール７ａに沿ってスライド可能なスライダ７ｂと、を含んで構成される。ガイドレール７ａ及びスライダ７ｂは、互いに対向するように筐体２に設けられる。具体的には、クロスフローファン３の軸周りに位置する筐体２の外表面のうち、互いに対向する第一の面及び第二の面に、連結機構７を構成するガイドレール７ａ及びスライダ７ｂは配置される。
【００２２】
互いに対向する第一の面及び第二の面の一例として、ガイドレール７ａ及びスライダ７ｂは、筐体２の前面２ａ及び背面２ｂに設けられる。具体的には、筐体２の背面２ｂ下部に、クロスフローファン３の軸方向に沿ってガイドレール７ａが取り付けられる。筐体２の前面２ａ下部には、ガイドレール７ａと対向するように、スライダ７ｂが取り付けられる。これにより、連結機構７は、他の送風器１をクロスフローファン３の軸方向に相対移動可能に連結する。また、各送風器１は、クロスフローファン３の径方向（例えば、前後方向）に隣り合うように連結される。また、隣り合う送風器１は、クロスフローファン３の軸方向に相対移動可能に構成される。以上のように、スライド方向及び送風方向が略垂直となるように設けられることで、隣り合う送風器１は、クロスフローファン３の軸方向、つまり、下枠１４ａの長手方向に沿って空気の吹き出し幅を変更可能に構成される。そのため、窓枠１４のサイズよりも送風器１単体の空気の吹き出し幅が短い場合であっても、他の送風器１を連結させることで、窓枠１４のサイズに応じて空気の吹き出し幅を変更させることができる。
【００２３】
このような構成によれば、一の送風器１の空気の吹き出し幅が窓枠１４のサイズに合わない場合であっても、結露が発生しやすい窓枠１４や窓ガラス１３全域に漏れなく送風することができる。そのため、結露が発生したとしても水滴付近の空気をかき混ぜることで、蒸発を促進させて、水滴を除去することができる。
【００２４】
なお、連結機構７は、ガイドレール７ａと、スライダ７ｂと、から構成されているが、これに限定されず、隣り合う送風器１がクロスフローファン３の軸方向に相対移動可能に構成されるものであればよい。
【００２５】
送風器１は、送風器１の外部周辺の湿度を検出する湿度センサ８（図４参照）を備える。湿度センサ８は、例えば、送風器１の外部周辺の相対湿度（以下、「湿度」とも称する。）を検出する。相対湿度は、ある気温で大気に含まれ得る水蒸気の最大量（飽和水蒸気量）を１００とし、実際の水蒸気量の測定値を比率（パーセント）で表したものである。湿度センサ８は、下枠１４ａ近傍（室内側）の湿度を検出できるように、筐体２の前面２ａから前方（下枠１４ａ）側へ露出した状態で配置している。湿度センサ８として、例えば、高分子感湿材料を用いた静電容量式や電気抵抗式の湿度センサを用いることができる。湿度センサ８は、筐体２の前面から前方（下枠１４ａ側）へ露出した状態で配置しているが、これに限定されない。例えば、筐体２内に湿度センサ８を設けてもよい。湿度センサ８は、送風装置１００を構成する複数の送風器１のうち、少なくとも一の送風器１（例えば、送風器１ａ）に設けられれば良い。湿度センサ８は、後述の制御部１５と接続され、湿度センサ８の検出信号を制御部１５に出力している。
【００２６】
送風器１は、他の送風器１との隣接方向における重なり度合を検出する重なり度合検出手段を備える。重なり度合検出手段として、例えば、測距センサ９（図４参照）が設けられる。測距センサ９は、反射型の光学センサであり、例えば、送風器１ａの右端面から送風器１ｂの右端面までの距離を測定する。測距センサ９は、送風装置１００を構成する複数の送風器１のうち、少なくとも一の送風器１（例えば、送風器１ａ）に設けられれば良い。測距センサ９は、後述の制御部１５と接続され、測距センサ９の検出信号を制御部１５に出力している。
【００２７】
重なり度合検出手段として、測距センサ９が設けられているが、隣り合う送風器１の隣接方向における重なり度合いを検出できるものであればよい。例えば、磁気感応スイッチ等により構成される近接センサや、フォトセンサ等であってもよい。
【００２８】
送風器１は、操作部１０（図４参照）を備える。操作部１０は、送風器１の風量や風向を切り換えるための各種の操作具（例えば、ボタンやパネル等）を備える。ユーザが操作部１０を操作することで、後述の所定の回動範囲や下枠１４ａに送風する際の回動角度を設定することができる。操作部１０は、送風装置１００を構成する複数の送風器１のうち、少なくとも一の送風器１（例えば、送風器１ａ）に設けられれば良い。操作部１０は、後述の制御部１５と接続され、操作部１０の入力信号を制御部１５に出力している。なお、所定の回動範囲や下枠１４ａに送風する際の回動角度は、操作部１０による操作を行うことなく、予め設定された回動角度及び回動範囲を使用してもよい。
【００２９】
図４は、図１に示した送風装置１００の制御部１５のハードウェア構成を示すブロック図である。制御部１５は、湿度センサ８、測距センサ９、操作部１０、記憶部１６、ファンモータ３ａ、ファンモータ３ａ、風向板モータ５ａ及び風向板モータ５ａと接続される。制御部１５は、例えば、ＣＰＵやＭＰＵ等のプロセッサで構成される。記憶部１６は、ＲＯＭやＲＡＭで構成される。記憶部１６には、送風装置１００の動作を実行するためのプログラム、湿度センサ８の検出値（検出信号）、測距センサ９の検出値（検出信号）、後述の閾値Ｔ１、閾値Ｔ２及び閾値Ｔ３等が格納される。制御部１５は、各部からの検出信号を取得するとともに、記憶部１６に格納される各種のプログラムを読みだして実行することで、送風装置１００の各部の動作を制御する。
【００３０】
制御部１５は、送風装置１００を構成する複数の送風器１のうち、少なくとも一の送風器１に設けられている。送風装置１００では、制御部１５は、送風器１ａに設けられており、送風器１ａの各部の動作を制御している。制御部１５は、送風器１ａが送風器１ｂと連結されると、送風器１ａ及び送風器１ｂが電気的に接続されることで、制御部１５は、送風器１ａに加えて送風器１ｂの各部の動作を制御可能としている。
【００３１】
制御部１５は、クロスフローファン３の回転数を制御している。具体的には、制御部１５は、各送風器１のクロスフローファン３のファンモータ３ａと接続され、その回転数が任意の回転数となるようにファンモータ３ａを制御している。また、制御部１５は、風向板５を制御している。具体的には、制御部１５は、各送風器１の風向板５の風向板モータ５ａと接続され、任意の回動角度となるよう、又は任意の回動動作を行うように風向板モータ５ａの回動を制御している。
【００３２】
図５は、送風装置１００による湿度センサ８及び測距センサ９の検出値に基づいた動作制御（以下では、単に動作制御と称する。）を実現するための制御部１５の機能を、概念的に示したブロック図である。図５に示すように、制御部１５は、結露判定部１５ａ、重なり判定部１５ｂ及び動作制御部１５ｃを有する。これらの各部の機能は、プログラムに基づいて、プロセッサが動作することにより実現される。
【００３３】
図６は、送風装置１００による動作制御における処理手順を示すフローチャートである。送風装置１００は、結露判定部１５ａによる結露の判定結果及び重なり判定部１５ｂによる各送風器１の重なり度合の判定結果に基づいて動作制御を行っている。
【００３４】
送風装置１００は、まず、湿度センサ８による検出処理を行う。湿度センサ８は、湿度を検出し、検出信号Ｄ１を制御部１５へ出力する。制御部１５に検出信号Ｄ１が入力されると、結露判定部１５ａは、検出信号Ｄ１が表す、湿度Ｈ１を取得する（ステップＳ１０１）。
【００３５】
次に、送風装置１００は、記憶部１６による出力処理を行う。記憶部１６は、湿度センサ８が検出した検出信号を、検出した日時とともに記憶しており、検出信号Ｄ１を基準として所定時間前に検出された湿度センサ８の検出信号Ｄ２を制御部１５へ出力する。制御部１５に検出信号Ｄ２が入力されると、結露判定部１５ａは、検出信号Ｄ２が表す、過去の湿度Ｈ２を取得する（ステップＳ１０２）。
【００３６】
次に、制御部１５の結露判定部１５ａは、湿度Ｈ１及び過去の湿度Ｈ２に基づいて、湿度センサ８の検出値の所定時間における平均変化率Ｒ１を算出する（ステップＳ１０３）。湿度の所定時間における平均変化率Ｒ１とは、湿度Ｈ１及び過去の湿度Ｈ２を比較して算出される単位時間当たりの変化量を表したものである。
【００３７】
次に、制御部１５の結露判定部１５ａは、湿度Ｈ１が閾値Ｔ１以上であり、かつ、平均変化率Ｒ１が閾値Ｔ２以上であるか否かを判定する（ステップＳ１０４）。閾値Ｔ１とは、湿度の高い値を指し、例えば、８０％に設定される。閾値Ｔ２とは、室内における通常の温度変化や湿度変化による単位時間当たりの湿度増加量の上限値を基準として設定される。平均変化率Ｒ１が閾値Ｔ２以上である場合とは、例えば、外気の影響を受けて下枠１４ａ近傍の温度が急降下することで下枠１４ａ近傍の湿度が急上昇している場合を指す。つまり、湿度Ｈ１が閾値Ｔ１以上であり、かつ、平均変化率Ｒ１が閾値Ｔ２以上である場合とは、湿度が急上昇して、湿度が高くなっている状態であり、結露の発生可能性が高い状態を指す。結露判定部１５ａは、湿度Ｈ１が閾値Ｔ１以上であり、かつ、平均変化率Ｒ１が閾値Ｔ２以上であると判定した場合、結露が発生しているものと判定する。結露判定部１５ａは、湿度Ｈ１が閾値Ｔ１以上であり、かつ、平均変化率Ｒ１が閾値Ｔ２以上であると判定しない場合、結露が発生していないものと判定する。
【００３８】
なお、湿度Ｈ１が１００％に近似する値である場合、既に結露が発生しているか、まもなく結露が発生し始める状態にあり、平均変化率Ｒ１の値に関係なく、結露が発生していると判定している。また、結露発生の判定処理に、湿度センサ８を用いているが、これに限定されず、例えば、水分センサや漏水センサを用いてもよい。
【００３９】
続いて、送風装置１００は、まず、測距センサ９による検出処理を行う。測距センサ９は、隣り合う送風器１の離間距離を検出し、検出信号Ｄ３を制御部１５へ出力する。制御部１５に検出信号Ｄ３が入力されると、重なり判定部１５ｂは、検出信号Ｄ３が表す、離間距離Ｌ１を取得する（ステップＳ１０５）。
【００４０】
次に、送風装置１００の重なり判定部１５ｂは、離間距離Ｌ１が閾値Ｔ３以下であるか否かを判定する（ステップＳ１０６）。閾値Ｔ３とは、隣り合う送風器１の重なり度合いが高い状態を指し、例えば、送風器１ａと、送風器１ｂとが隣接方向からみて全長を基準として９０％以上重なっているときの値を指す。重なり判定部１５ｂは、離間距離Ｌ１が閾値Ｔ３以下であると判定した場合、隣り合う送風器１が重なっているものと判定する。重なり判定部１５ｂは、離間距離Ｌ１が閾値Ｔ３以下でないと判定した場合、隣り合う送風器１が重なっていないものと判定する。図６では、図示の便宜上、ステップＳ１０１〜ステップＳ１０４の結露判定処理と、ステップＳ１０５〜ステップＳ１０６の重なり判定処理を直列的に図示しているが、結露判定処理と重なり判定処理とは互いに並行して実行されることが望ましい。
【００４１】
送風装置１００の動作制御部１５ｃは、結露判定部１５ａの判定結果（上述の湿度センサ８の検出値に基づいて判定される結果）及び重なり判定部１５ｂの判定結果（上述の測距センサ９の検出値に基づいて判定される結果）に基づいて、各送風器１のクロスフローファン３の回転数及び風向板５をそれぞれ制御する（ステップＳ１０７）。
【００４２】
図７は、送風装置１００による動作制御を示した表である。図７（ａ）に示すように、動作制御部１５ｃは、結露判定部１５ａにより結露が発生していないと判定され、重なり判定部１５ｂにより重なっていないと判定された場合、所定の回動範囲において回動動作を繰り返すように各送風器１の風向板モータ５ａの回動を制御する。所定の回動範囲とは、例えば、下枠１４ａ及び上枠１４ｂに囲まれる範囲を指す。つまり、動作制御部１５ｃは、下枠１４ａから上枠１４ｂにかけて送風するように風向板５をスイングさせている。また、動作制御部１５ｃは、各送風器１のクロスフローファン３の回転数が任意の回転数となるようにファンモータ３ａを制御している。
【００４３】
このような構成によれば、下枠１４ａから上枠１４ｂにかけて送風することで、窓枠１４や窓ガラス１３近傍の空気をかき混ぜることで、結露の発生を抑制している。また、仮に結露が発生したとしても、窓枠１４及び窓ガラス１３に付着した水滴に直接風を当てて、水滴付近の空気をかき混ぜることで、蒸発を促進させ、水滴を除去しやすい。
【００４４】
図７（ｂ）に示すように、動作制御部１５ｃは、結露判定部１５ａにより結露の発生と判定され、重なり判定部１５ｂにより重なっていないと判定された場合、下枠１４ａに向けて送風できるように、各送風器１の風向板モータ５ａの回動を制御している。また、動作制御部１５ｃは、結露判定部１５ａにより結露が発生していないと判定された場合と比べて各送風器１のクロスフローファン３の回転数を上昇させる。
【００４５】
このような構成によれば、結露が発生しやすい下枠１４ａに集中的に送風して、下枠１４ａ近傍に付着した水滴付近の空気をかき混ぜることで、蒸発を促進させて、水滴を除去することができる。また、仮に窓ガラス１３等に結露が発生していたとしても、自重により落ちてくる水滴を下枠１４ａ近傍において除去することができる。そのため、下枠１４ａ及び床面の腐食やカーテン１２のカビの繁殖を防止することができる。また、吹出口２ｈから吹き出される空気の一部は、窓ガラス１３に沿って流れるため、窓ガラス１３近傍の空気をかき混ぜることができる。そのため、下枠１４ａ近傍だけでなく、窓ガラス１３に結露が発生することを抑制することができる。
【００４６】
なお、動作制御部１５ｃは、結露判定部１５ａにより結露の発生と判定され、重なり判定部１５ｂにより重なっていないと判定された場合、所定時間毎に、所定の回動範囲において回動動作を繰り返すように各送風器１の風向板モータ５ａの回動を制御してもよい。このような構成によれば、下枠１４ａに発生し得る結露を除去しながら、定期的に、窓ガラス１３、上枠１４ｂ等に向けて送風させることで、窓ガラス１３、上枠１４ｂ等に結露が発生することを抑制することができる。
【００４７】
図７（ｃ）に示すように、動作制御部１５ｃは、結露判定部１５ａにより結露が発生していないと判定され、重なり判定部１５ｂにより重なっていると判定された場合、隣り合う送風器１のうち、一の送風器１（例えば、送風器１ｂ）のファンモータ３ａの回転数を減少又は停止させる。また、動作制御部１５ｃは、他の送風器１（例えば、送風器１ａ）が、所定の回動範囲において回動動作を繰り返すように風向板モータ５ａの回動を制御している。
【００４８】
このような構成によれば、隣接方向から見て重なっている送風器１のうち、一の送風器１の風量を減少又は駆動を停止させることで、窓ガラス１３及び窓枠１４に過剰な送風が行われることを防止することができる。
【００４９】
図７（ｄ）に示すように、動作制御部１５ｃは、結露判定部１５ａにより結露の発生と判定され、重なり判定部１５ｂにより重なっていると判定された場合、一の送風器１（例えば、送風器１ａ）は下枠１４ａに向けて送風できるように風向板モータ５ａの回動を制御し、他の送風器１（例えば、送風器１ｂ）は所定の回動範囲において回動動作を繰り返すように風向板モータ５ａの回動を制御している。また、動作制御部１５ｃは、結露判定部１５ａにより結露が発生していないと判定された場合と比べて各送風器１のファンモータ３ａの回転数を上昇させてもよい。
【００５０】
このような構成によれば、下枠１４ａに集中的に送風するとともに、窓枠１４及び窓ガラス１３全体に送風させることで、結露が発生し得る状況において、結露の発生を抑制しながら、仮に結露が発生していたとしても除去することができる。
【００５１】
送風装置１００による動作制御において、結露判定部１５ａの判定結果及び重なり判定部１５ｂの判定結果に基づいて、各送風器１のクロスフローファン３の回転数及び風向板５をそれぞれ制御しているが、これに限定されない。例えば、送風装置１００は、結露判定部１５ａの判定結果のみを用いて、各送風器１のクロスフローファン３の回転数及び風向板５をそれぞれ制御してもよいし、重なり判定部１５ｂの判定結果のみを用いて、各送風器１のクロスフローファン３の回転数及び風向板５をそれぞれ制御してもよい。
【００５２】
送風装置１００において、重なり判定部１５ｂの判定結果のみを用いて行う動作制御について説明する。送風装置１００は、重なり判定部１５ｂにより重なっていないと判定された場合、一例として、下枠１４ａに送風できるように各送風器１の風向板モータ５ａの回動を制御している。送風装置１００は、重なり判定部１５ｂにより重なっていると判定された場合、一例として、隣り合う送風器１のうち、一の送風器１は下枠１４ａに送風できるように風向板モータ５ａの回動を制御している。そして、隣り合う送風器１のうち、他の送風器１は所定の回動範囲において回動動作を繰り返すように風向板モータ５ａの回動を制御している。また、重なり判定部１５ｂにより重なっていないと判定された場合と比較して、他の送風器１のファンモータ３ａの回転数を減少又は停止させてもよい。これにより、重なり判定部１５ｂにより重なっていると判定された場合に、隣り合う送風器１の風向が重ならないように、かつ、風量を抑制することで、窓ガラス１３及び窓枠１４に過剰な送風が行われることを防止しながら広範囲への送風を実現できる。
【００５３】
（第２の実施形態）
本実施の形態では、第１の実施形態と比較して、吸込口の位置が異なる送風器２１を含んで構成される送風装置１００Ａについて説明する。
【００５４】
図８は、本実施の形態に係る送風装置１００Ａを構成する送風器２１の内部構成を示す断面模式図である。送風装置１００Ａは、二つの送風器２１が連結されて構成される。吸込口２ｇは筐体２の底面２ｆに設けられる。
【００５５】
筐体２は、出窓を覆うカーテン１２と、窓ガラス１３との間の床面（載置面）に置かれて使用される。筐体２の底面２ｆと、載置面との間に所定の隙間を有するように、一例として、台座部２２が設けられる。台座部２２は、例えば、筐体２の底面２ｆの隅部から下方に延びる４つの台座から構成される。所定の隙間とは、筐体２の底面２ｆの吸込口２ｇから空気を十分に取り込めるだけの間隔を指す。
【００５６】
このような構成によれば、隣り合う送風器２１が吸込口２ｇから空気を取り込む際の妨げとなりにくく、空気の取り込み経路を確保することができる。そのため、空気の吹き出し幅に沿って十分な送風を実現することができる。
【００５７】
（第３の実施形態）
本実施の形態では、第１の実施形態と比較して、連結機構の配置が異なる送風器３１を含んで構成される送風装置１００Ｂについて説明する。
【００５８】
図９は、本実施の形態に係る送風装置１００Ｂを構成する送風器３１の内部構成を示す断面模式図である。連結機構７は、筐体２の互いに対向する第一の面及び第二の面の一例として、筐体２の上面２ｅ及び底面２ｆに設けられる。以下において、説明の便宜上、送風器３１は、下方に配置される送風器を送風器３１ａとし、上方に配置される送風器を送風器３１ｂとも記載する。
【００５９】
筐体２の背面２ｂには、吸込口２ｇが形成される。吸込口２ｇは、上下に並べて複数形成される。筐体２の前面２ａ上部には、吹出口２ｈが形成される。吹出口２ｈ近傍には、吹出口２ｈから吹き出される空気の方向を変化させる風向変更手段として風向板５が設けられる。風向板５は、側面から見て、中途部に軸６を有する。風向板５は、軸６周りに回動可能に構成される。
【００６０】
送風器３１は、他の送風器３１と連結するための連結機構７を備える。連結機構７は、例えば、ガイドレール７ａと、他の送風器３１に設けられるガイドレール７ａに沿ってスライド可能なスライダ７ｂと、を含んで構成される。筐体２の底面２ｆには、クロスフローファン３の軸方向に沿ってガイドレール７ａが取り付けられる。筐体２の上面２ｅには、ガイドレール７ａと対向するように、スライダ７ｂが取り付けられる。
【００６１】
送風器３１ａには、送風器３１ｂがクロスフローファン３の軸方向に移動する際に、その姿勢を保持する保持フレーム（図示しない）がクロスフローファン３の軸方向に摺動可能に設けられている。当該保持フレームにより、送風器３１ｂの姿勢を保持した状態での移動を可能としている。
【００６２】
これにより、送風装置１００Ｂは、クロスフローファン３の径方向（例えば、上下方向）に沿って各送風器３１を隣り合うように連結することができる。各送風器３１を上下方向に並べて連結させることで、隣接する送風器３１が吸込口２ｇから空気を取り込む際の妨げとならず、空気の取り込み経路を確保することができる。そのため、空気の吹き出し幅に沿って良好な送風を実現することができる。また、吹出口２ｈを筐体２の前面２ａに設けることで、隣接する送風器３１が空気を吹き出す際の妨げとならず、良好な送風を実現することができる。また、各送風器３１はクロスフローファン３の軸方向に沿って相対移動可能に構成されるため、上記の実施形態の送風器１と同様の効果を奏する。
【００６３】
（第４の実施形態）
本実施の形態では、第１の実施形態と比較して、送風ファンの構成が異なる送風器４１を含んで構成される送風装置１００Ｃについて説明する。
【００６４】
図１０は、本実施の形態に係る送風装置１００Ｃを構成する送風器４１の内部構成を示す断面模式図である。送風ファンは、軸流ファンの一例として、プロペラファン４２によって構成される。プロペラファン４２は、一例として、軸方向が上下方向となるように筐体２の内部に収容される。プロペラファン４２は、筐体２の底面２ｆに形成される吸込口２ｇから空気を取り入れ、筐体２の上面２ｅに形成される複数の吹出口２ｈに送風する。各吹出口２ｈ近傍には、風向板５が設けられる。風向板５は、吹出口２ｈを開閉するとともに、吹出口２ｈが開いているときにプロペラファン４２から筐体２外に送り出される空気の方向付けを行うものである。プロペラファン４２は、筐体２の長手方向に沿って複数並べて配置されることで、筐体２の長手方向に沿った広い幅で空気を吹き出すことができる。
【００６５】
送風器４１は、他の送風器４１と連結するための連結機構７を備える。連結機構７は、例えば、ガイドレール７ａと、他の送風器４１に設けられるガイドレール７ａに沿ってスライド可能なスライダ７ｂと、を含んで構成される。筐体２の背面２ｂに、筐体２の長手方向に沿ってガイドレール７ａが取り付けられる。筐体２の前面２ａには、ガイドレール７ａと対向するように、スライダ７ｂが取り付けられる。
【００６６】
以上のように、送風装置１００Ｃは、スライド方向及び送風方向が略垂直となるように設けられることで、下枠１４ａの長手方向に沿って空気の吹き出し幅を変更可能に構成される。そのため、窓枠１４のサイズよりも送風器１単体の空気の吹き出し幅が短い場合であっても、他の送風器１を連結させることで、窓枠１４のサイズに応じて空気の吹き出し幅を変更させることができる。
【００６７】
本発明は、上記の各実施の形態に限定されるものではなく、上記の各実施の形態で示した構成と実質的に同一の構成、同一の作用効果を奏する構成又は同一の目的を達することができる構成で置き換えてもよい。
【符号の説明】
【００６８】
１  送風器、１ａ  送風器、１ｂ  送風器、２  筐体、２ｆ  底面  ２ｇ  吸込口、２ｈ  吹出口、２ｊ  送風路、３  クロスフローファン、３ａ  ファンモータ、５  風向板、５ａ  風向板モータ、７  連結機構、７ａ  ガイドレール、７ｂ  スライダ、８  湿度センサ、９  測距センサ、１１  出窓、１２  カーテン、１３  窓ガラス、１４  窓枠、１４ａ  下枠、１５  制御部、１６  記憶部、２１  送風器、３１  送風器、３１ａ  送風器、３１ｂ  送風器、Ｔ１  閾値、Ｔ２  閾値、Ｔ３  閾値
【図１】
2020051077.tif 000003
【図２】
2020051077.tif 000004
【図３】
2020051077.tif 000005
【図４】
2020051077.tif 000006
【図５】
2020051077.tif 000007
【図６】
2020051077.tif 000008
【図７】
2020051077.tif 000009
【図８】
2020051077.tif 000010
【図９】
2020051077.tif 000011
【図１０】
2020051077.tif 000012